(57)【特許請求の範囲】
【請求項１】
一対のケース半体を組み合わせてなるケース本体に、フロントパネルを取り付けるフロントパネルの取り付け構造であって、
前記フロントパネルは長方形状であり、その両長辺に側片部を形成し、前記ケース本体側にはスライド用凹部を形成し、前記側片部が前記スライド用凹部に案内されることにより前記フロントパネルが前記ケース本体の上方から下方へのスライド方向にスライド装着可能とし、
前記一対のケース半体のそれぞれに係合孔を形成し、前記一対のケース半体を組み合わせてケース本体を形成した際、一対の前記係合孔が連通されるよう構成し、
連通された前記係合孔と係合する係合突起を前記フロントパネルの前記スライド方向後端部に形成し、前記フロントパネルを前記ケース本体に固定する固定部を前記フロントパネルの前記スライド方向先端部に設け、前記係合突起が前記係合孔に係合した状態で前記フロントパネルと前記一対のケース半体が一体化する構成としたフロントパネルの取り付け構造。
【請求項２】
前記フロントパネルに本体側に延出する上部アーム部を備え、前記上部アーム部の先端部に前記係合突起を形成するようにした請求項１に記載のフロントパネルの取り付け構造。
【請求項３】
前記係合孔は前記ケース半体の上部に形成した各々の延出部に形成され、前記ケース半体を組み合わせた際、前記延出部が重なり合い、前記係合孔が連通するようにした請求項２に記載のフロントパネルの取り付け構造。
【請求項４】
前記固定部は、固定爪からなり、当該固定爪が前記ケース半体に形成された各々の固定フックに嵌合し、一対のケース半体とフロントパネルが一体になるようにした請求項１〜３のいずれか一項に記載のフロントパネルの取り付け構造。
【請求項５】
前記フロントパネルより前記ケース本体側に延出する下部アーム部を形成し、前記下部アーム部の先端部に前記固定爪を形成した請求項４記載のフロントパネルの取り付け構造。
【請求項６】
前記下部アーム部のフロントパネル側に突出した固定突起を形成し、前記ケース半体の所定位置に各々固定凹部を形成し、前記固定突起は前記固定凹部に嵌合するようにした請求項５記載のフロントパネルの取り付け構造。
【請求項７】
前記下部アーム部の先端部より前記フロントパネルの長手方向に沿って下方に前記固定爪を延出するように形成した請求項５または６記載のフロントパネルの取り付け構造。
【請求項８】
前記ケース半体に形成された前記固定フックと前記固定爪とが嵌合する位置の外周部分に四角状壁を形成した請求項７記載のフロントパネルの取り付け構造。
【請求項９】
前記フロントパネルの前記側片部に凸部を形成し、前記ケース本体のスライド用凹部には係合凹部を形成し、前記側片部の前記凸部と前記スライド用凹部の前記係合凹部とは、前記フロントパネルが所定位置まで装着された際に係合するようにした請求項１〜８のいずれか一項に記載のフロントパネルの取り付け構造。
【請求項１０】
一対のケース半体を組み合わせてなるケース本体と、
前記ケース本体に装着する長方形状のフロントパネルとを有する電子装置であって、
前記フロントパネルは、その両長辺に側片部を形成し、前記ケース本体側にはスライド用凹部を形成し、前記側片部が前記スライド用凹部に案内されることにより前記フロントパネルが前記ケース本体の上方から下方へのスライド方向にスライド装着可能とし
前記ケース本体は、前記一対のケース半体のそれぞれに形成した係合孔を有し、前記一対のケース半体を組み合わせて前記ケース本体を形成した際、一対の前記係合孔が連通し、
連通された前記係合孔と係合する係合突起を前記フロントパネルの前記スライド方向後端部に形成し、前記フロントパネルを前記ケース本体に固定する固定部を前記フロントパネルの前記スライド方向先端部に設け、
前記係合突起部が前記係合孔に係合した状態で、前記ケース本体と前記フロントパネルが一体化する電子装置。
【請求項１１】
前記フロントパネルに本体側に延出する上部アーム部を備え、前記上部アーム部の先端部に前記係合突起を形成するようにした請求項１０記載の電子装置。
【請求項１２】
前記係合孔は前記ケース半体の上部に形成した各々の延出部に形成され、前記ケース半体を組み合わせた際、前記延出部が重なり合い、前記係合孔が連通するようにした請求項１１記載の電子装置。
【請求項１３】
前記固定部は、固定爪からなり、当該固定爪が前記ケース半体に形成された各々の固定フックに嵌合し、一対のケース半体とフロントパネルが一体になるようにした請求項１０〜１２のいずれか一項に記載の電子装置。
【請求項１４】
前記フロントパネルより前記ケース本体側に延出する下部アーム部を形成し、前記下部アーム部の先端部に前記固定爪を形成した請求項１３記載の電子装置。
【請求項１５】
前記下部アーム部のフロントパネル側に突出した固定突起を形成し、前記ケース半体の所定位置に各々固定凹部を形成し、前記固定突起は前記固定凹部に嵌合するようにした請求項１４記載の電子装置。
【請求項１６】
前記下部アーム部の先端部より前記フロントパネルの長手方向に沿って下方に前記固定爪を延出するように形成した請求項１４または１５記載の電子装置。
【請求項１７】
前記ケース半体に形成された前記固定フックと前記固定爪とが嵌合する位置の外周部分に四角状壁を形成した請求項１６記載の電子装置。
【請求項１８】
前記フロントパネルの前記側片部に凸部を形成し、前記ケース本体のスライド用凹部には係合凹部を形成し、前記側片部の前記凸部と前記スライド用凹部の係合凹部とは、前記フロントパネルが所定位置まで装着された際に係合するようにした請求項１０〜１７記載の電子装置。
【発明の詳細な説明】
【技術分野】
【０００１】
本発明はカバーパネルの取り付け構造に係り、特に電子装置のケース本体にカバーパネルを取り付けるのに用いて好適なカバーパネルの取り付け構造に関する。
【背景技術】
【０００２】
一般に、パーソナルコンピュータやその周辺機器等の電子装置は、回路基板，電子機器が内装されたケース本体と、このケース本体のフロント部に配設されると共に電子装置の動作状態を示す表示部等が配設されたフロントパネルとを有した構成とされている。フロントパネルは、組み立て性及びメンテナンス性の向上を図るため、このケース本体に着脱可能な構成とされている。また同様の理由から、ケース本体を一対のケース半体から構成し、この一対のケース半体を組み合わせることによりケース本体を形成する構成のものが多用されている。
【０００３】
従来、フロントパネルをケース本体に取り付けるには、予め一対のケース半体を組み合わせてケース本体を形成しておき、この組み合わされたケース本体にフロントパネルを装着する方法が採られている。この際、一対のケース半体にはフロントパネルの取り付けとは独立した係合機構が設けられており、一対のケース半体はこの係合機構を用いて組み合わされる。
【０００４】
また、フロントパネルは、短辺と長辺を有した略長方形形状とされているものが多い。また、フロントパネルには固定爪が形成されており、この固定爪をケース本体に嵌合することにより、フロントパネルはケース本体に固定される。通常、この固定爪はバネ性を有しており、このバネ力をもってケース本体に嵌合する。
また、従来ではこの固定爪の形成位置はフロントパネルの長辺方向の両端部（即ちフロントパネルの短辺部）に形成されており、固定爪のバネ力はフロントパネルの長辺方向にケース本体を押圧するよう印加される構成とされていた。
【特許文献１】特開平１０−１４５０４８号公報
【特許文献２】実願昭５９−１９３２５６号（実開昭６１−１０６０８５号）のマイクロフィルム
【発明の開示】
【発明が解決しようとする課題】
【０００５】
しかしながら従来の構成では、一対のケース半体を組み合わせる機構と、フロントパネルをケース本体に装着する機構とが別個の構成となっていたため、フロントパネル及びケース本体の構成が複雑化してしまうという問題点があった。また、ケース半体の組み合わせ処理と、フロントパネルをケース本体に装着する処理を別個に行なう必要があり、組み立て作業も面倒であるという問題点があった。
【０００６】
更に、固定爪のバネ力が、フロントパネルの長辺方向にケース本体を押圧する構成であったため、このバネ力の反作用としてフロントパネルには両短辺を押圧する力が作用し、これによりフロントパネルに反りが発生してしまうという問題点があった。このように、フロントパネルに反りが発生すると、反りの発生部分においてフロントパネルとケース本体との間に間隙が発生し、この間隙から電子装置内に塵埃が侵入してしまう。
【０００７】
本発明は上記の点に鑑みてなされたものであり、組み立て性、メンテナンス性、及び取り付け信頼性の向上を図りうるフロントパネルの取り付け構造を提供することを目的とする。
【課題を解決するための手段】
【０００８】
上記の課題を解決するために本発明では、次に述べる各手段を講じたことを特徴とするものである。
請求項１記載の発明は、
一対のケース半体を組み合わせてなるケース本体に、フロントパネルを取り付けるフロントパネルの取り付け構造であって、
前記フロントパネルは長方形状であり、その両長辺に側片部を形成し、前記ケース本体側にはスライド用凹部を形成し、前記側片部が前記スライド用凹部に案内されることにより前記フロントパネルが前記ケース本体の上方から下方へのスライド方向にスライド装着可能とし、
前記一対のケース半体のそれぞれに係合孔を形成し、前記一対のケース半体を組み合わせてケース本体を形成した際、一対の前記係合孔が連通されるよう構成し、
連通された前記係合孔と係合する係合突起を前記フロントパネルの前記スライド方向後端部に形成し、前記フロントパネルを前記ケース本体に固定する固定部を前記フロントパネルの前記スライド方向先端部に設け、前記係合突起が前記係合孔に係合した状態で前記フロントパネルと前記一対のケース半体が一体化する構成としたことを特徴とするものである。
【０００９】
また、請求項１０記載の発明は、
一対のケース半体を組み合わせてなるケース本体と、
前記ケース本体に装着する長方形状のフロントパネルとを有する電子装置であって、
前記フロントパネルは、その両長辺に側片部を形成し、前記ケース本体側にはスライド用凹部を形成し、前記側片部が前記スライド用凹部に案内されることにより前記フロントパネルが前記ケース本体の上方から下方へのスライド方向にスライド装着可能とし
前記ケース本体は、前記一対のケース半体のそれぞれに形成した係合孔を有し、前記一対のケース半体を組み合わせて前記ケース本体を形成した際、一対の前記係合孔が連通し、
連通された前記係合孔と係合する係合突起を前記フロントパネルの前記スライド方向後端部に形成し、前記フロントパネルを前記ケース本体に固定する固定部を前記フロントパネルの前記スライド方向先端部に設け、
前記係合突起部が前記係合孔に係合した状態で、前記ケース本体と前記フロントパネルが一体化することを特徴とする。
【発明の効果】
【００１０】
上述の如く本発明によれば、次に述べる種々の効果を実現することができる。
【００１１】
係合孔にフロンとパネルに形成された係合突起を係合させるだけで、フロントパネルと一対のケース半体とを一体化することができるため、一対のケース半体を組み合わせる（或いは離間させる）処理と、フロントパネルをケース本体に装着（或いは離脱）する処理を同時にでき、よって組み立て性及びメンテナンス性を向上させることができる。
【００１２】
また、固定部により係合突起が係合孔に係合した状態でフロントパネルをケース本体に固定するため、係合突起が係合孔から離脱することを防止することができる。
【００１３】
更に、フロントパネルをケース本体にスライド装着することにより、係合突起と係合孔の係合と固定部によるフロントパネルとケース本体の固定を同時に行なうことができるため、組み立て作業性の向上を図ることができる。
【発明を実施するための最良の形態】
【００１４】
次に、本発明の実施の形態について図面と共に説明する。
【００１５】
図１は、本発明の一実施例を適用してなる電子装置１０を示している。本実施例では、電子装置１０としてパーソナルコンピュータの周辺機器であるルータを例に挙げて説明するが、本願発明の適用はこれに限定されものではなく、種々の電子機器に適用できるものである。
【００１６】
電子装置１０は、大略するとケース本体１１とフロントパネル１２とにより構成されている。このケース本体１１及びフロントパネル１２は、本実施例ではいずれも樹脂成形品とされている。しかしながら、ケース本体１１とフロントパネル１２が金属等の他の材料により形成されていたとしても、本発明を適用することができる。
【００１７】
ケース本体１１は、ケース半体１３とケース半体１４とにより構成されている。即ち、ケース本体１１は、一対のケース半体１３，１４を組み合わせた構成とされている。このように、ケース本体１１を一対のケース半体１３，１４を組み合わせた構成とすることにより、ケース本体１１内に回路基板，電子機器等を搭載する処理、及びメンテナンス処理を容易に行なうことができる。また、ケース本体１１の下部には、設置時の安定性を向上するため、鍔部１５，１６が形成されている。
【００１８】
ケース半体１３は、図３及び図４に拡大して示すように、その上部に延出部３２が形成されており、この延出部３２には係合孔３０が形成されている。一方、ケース半体１４は、その上部に延出部３３が形成されており、また延出部３３には係合孔３１が形成されている。また、延出部３２はケース半体１４との組み合わせ方向に延出するよう形成されおり、延出部３３はケース半体１３との組み合わせ方向に延出するよう形成されている。
【００１９】
そして、ケース半体１３とケース半体１４とを組み合わせた状態で、延出部３２と延出部３３は重ねられた状態となる。また、延出部３２と延出部３３とが重なった状態において、延出部３２に形成された係合孔３０と延出部３３に形成された係合孔３１が連通するよう構成されている。この係合孔３１には、後述するようにフロントパネル１２に形成されている係合突起２２が係合する。
【００２０】
更に、ケース本体１１の底面には、固定フック４２，４３が形成されている。固定フック４２は、ケース半体１３の底面１７-1に形成されている。また、固定フック４３は、ケース半体１４の底面１７-2に形成されている。この固定フック４２，４３は、後述するようにフロントパネル１２に形成されている固定爪２３，２４が嵌合する。
【００２１】
上記した一対のケース半体１３，１４が組み合わされた状態では、ケース本体１１のフロント部分は開口した状態となっている。フロントパネル１２は、ケース本体１１のこの開口部を覆うよう装着される。
【００２２】
図２は、フロントパネル１２を拡大して示す図である。フロントパネル１２は樹脂成形品であり、大略するとパネル本体１８、側片部１９，２０、係合突起２２、固定爪２３，２４、及び後述するシボ加工部４０、及びローレット加工部４１等により構成されている。
【００２３】
パネル本体１８は、図２（Ａ）に示すように、平面視した状態で略長方形状とされている。このパネル本体１８の表面には、所定の機能表示（例えば、ＰＯＷ等）が施されている。後述するようにこの機能表示の近傍は、当該機能が動作している際に発光ダイオード３７が点灯し照明される構成となっている。これにより、電子装置１０の使用者は、この点灯を視認することにより、電子装置１０の動作状態を確認することができる。
【００２４】
また、フロントパネル１２の長辺側の側部には、側片部１９，２０が形成されている。この側片部１９，２０は、図６に拡大して示すように、ケース半体１３，１４に形成されたスライド用凹部４８，４９にスライド可能に係合する構成とされている。
【００２５】
後述するように、フロントパネル１２はケース本体１１にスライド装着される。この際、側片部１９，２０がスライド用凹部４８，４９に案内されることにより、フロントパネル１２はケース本体１１に装着される。
【００２６】
また、側片部１９，２０には、それぞれ複数（本実施例では３個）の凸部２８，２９が形成されている。これに対し、図６に示すようにケース半体１３，１４の所定位置には、係合凹部３８，３９が形成されている。この凸部２８，２９と係合凹部３８，３９は、フロントパネル１２がケース本体１１の所定装着位置まで装着された際に係合する構成とされている。
【００２７】
ここで、フロントパネル１２の上記スライド方向に対する上部に注目すると、フロントパネル１２の上部には内側（図２（Ｂ）における右側）に向け延出する上部アーム部２１が、パネル本体１８と一体的に形成されている。また、上部アーム部２１の先端部には、図２（Ｂ）において下方に突出した係合突起２２が形成されている。
【００２８】
一方、フロントパネル１２の上記スライド方向に対する下部に注目すると、フロントパネル１２の下部には内側（図２（Ｂ）における右側）に向け延出する下部アーム部２５が、パネル本体１８と一体的に形成されている。また、下部アーム部２５の先端部には図２（Ｂ）において下方に延出する固定爪２３，２４が形成されると共に、下部アーム部２５の途中位置には固定突起２６，２７が形成されている。
【００２９】
この固定爪２３，２４は、パネル本体１８の短辺である下辺１８ａより、パネル本体１８の長手方向に沿って下方に延出した構成とされている。これにより、固定爪２３，２４は、下辺１８ａから片持ち梁状の形状とされており、よって弾性変形可能な構成とされている。この際、固定爪２３，２４が弾性変形する方向は、略長方形状のパネル本体１８の短辺方向と平行な方向（図２（Ａ）中、矢印Ｘで示す方向）となる。
【００３０】
続いて、図３乃至図５を参照し、フロントパネル１２をケース本体１１に装着する方法について説明する。
フロントパネル１２をケース本体１１に装着するには、先ずケース半体１３とケース半体１４とを図３に示すように対向させた上、各ケース半体１３，１４を組み合わせる。これにより、図４に示されるように、延出部３２と延出部３３は重なり合い、係合孔３０と係合孔３１は連通した状態となる。
【００３１】
続いて、図４に示すようにケース本体１１に対しフロントパネル１２をスライド装着する。この際、先ず側片部１９，２０をスライド用凹部４８，４９に位置決めし、フロントパネル１２をケース本体１１に対して図中上部から下方に向けスライド装着する。このように、装着時において、フロントパネル１２はケース本体１１にスライド案内されて挿入されるため、装着操作を容易に行なうことができる。
【００３２】
そして、フロントパネル１２がケース本体１１に完全に装着された際、フロントパネル１２の上部においては、係合突起２２が連通した係合孔３０，３１内に挿入することによりフロントパネル１２はケース本体１１に固定される。また、これと同時に、フロントパネル１２の下部においては、固定爪２３，２４がケース半体１３，１４の底面１７に形成された固定フック４２，４３と嵌合することによりフロントパネル１２はケース本体１１に固定される。
このように、フロントパネル１２をケース本体１１にスライド装着することにより、フロントパネル１２の上部及び下部におけるフロントパネル１２とケース本体１１の固定を同時に行なえるため、組み立て作業性の向上を図ることができる。
【００３３】
次に、電子装置１０の上部におけるフロントパネル１２とケース本体１１との取り付け構造と、下部におけるフロントパネル１２とケース本体１１との取り付け構造をそれぞれ説明する。
【００３４】
上記のように、フロントパネル１２がケース本体１１に完全に装着された際、フロントパネル１２の上部においては、係合突起２２が連通した係合孔３０，３１内に挿入する。これにより、係合突起２２と係合孔３０，３１は、係合した状態となる。このように、電子装置１０の上部においては、係合突起２２が係合孔３０，３１と係合することによりフロントパネル１２とケース本体１１（ケース半体１３，１４）は一体化する。
【００３５】
よって、電子装置１０の上部においては、一対のケース半体１３，１４を組み合わせる（或いは離間させる）処理と、フロントパネル１２をケース本体１１に装着（或いは離脱）する処理が同時に実施されるため、組み立て性を向上させることができる。尚、メンテナンス時等の電子装置１０の分解時においては、一対のケース半体１３，１４を離間させる処理と、フロントパネル１２とケース本体１１とを分離する処理を同時に行なうことが可能となるため、メンテナンス性を向上させることができる。
【００３６】
一方、フロントパネル１２がケース本体１１に完全に装着された際、フロントパネル１２の下部においては、固定爪２３，２４がケース半体１３，１４の底面１７-１，１７-２に形成された固定フック４２，４３と嵌合する。図５は、固定爪２３，２４が固定フック４２，４３と嵌合した状態を示している。また、固定突起２６，２７は、ケース半体１３，１４に形成されている固定凹部（図示せず）に嵌合する。これにより、フロントパネル１２は、その下部においてもケース半体１３，１４に固定される。
【００３７】
この際、固定爪２３，２４が固定フック４２，４３に嵌合することにより固定爪２３，２４は弾性変形し、よってフロントパネル１２にはこの弾性変形の反力が作用する。従来では、フロントパネルをケース半体に固定する固定爪がフロントパネルの上下端部（本実施例における下辺１８ａと上辺１８ｂ）に設けられ、かつ固定時における固定爪の弾性変形による反力がフロントパネルの長手方向に印加される構成であったため、図１（Ｃ）に一点鎖線で示すようにフロントパネルが変形することが発生していたことは前述した通りである。
【００３８】
しかしながら、上記したフロントパネル１２の取り付け構造では、固定爪２３，２４の弾性変形の反力は、パネル本体１８の短辺方向（図２（Ａ）に矢印Ｘで示す方向）となる。この反力の作用方向は、フロントパネル１２の剛性の高い方向となる。このため、この反力がフロントパネル１２に作用しても、この反力の作用方向に対するフロントパネル１２の剛性は高いため反りが発生することはない。よって、フロントパネル１２とケース本体１１との間に間隙が発生することはなく、電子装置１０内に塵埃が侵入することを防止できる。
【００３９】
また、従来上下に配設されたものを、上記した取り付け構造では下辺１８ａにのみ固定爪２３，２４を形成し、その弾性力（反力）の印加方向が剛性の高い方向となるよう適宜選定するだけの簡単な構成で、フロントパネル１２に反りが発生することを防止することができた。このため、本取り付け構造により、簡単な構成でフロントパネル１２の取り付け信頼性を高めることができた。
【００４０】
更に、上記した取り付け構造では、上部においては係合突起２２が係合孔３０，３１に係合しただけの固定構造であるが、下部においては固定爪２３，２４が固定フック４２，４３に嵌合しているため、フロントパネル１２が上下方向（スライド方向）に移動することはなく、よって係合突起２２が係合孔３０，３１から離脱するようなことはない。
【００４１】
尚、フロントパネル１２がケース本体１１に完全に装着された際、側片部１９及び側片部２０に形成されている凸部２８，２９は、ケース半体１３，１４に形成されている係合凹部３８，３９に係合する。よって、この凸部２８，２９と係合凹部３８，３９との係合によっても、フロントパネル１２はケース本体１１に強固に係合し、よってフロントパネル１２とケース本体１１との間に間隙が発生することを抑制している。
【００４２】
また、固定爪２３，２４が固定フック４２，４３と嵌合した位置の外周部分には、図５に示すように四角状壁４６，４７が形成されている。このように、固定爪２３，２４と固定フック４２，４３との嵌合位置の外周部を四角状壁４６，４７で覆い隠すことにより、誤って固定爪２３，２４と固定フック４２，４３との嵌合を外してしまう事故を防止することができる。
【００４３】
ここで、フロントパネル１２の背面、及びフロントパネル１２と発光ダイオード３７との関係に注目し、以下説明する。
前記したように、パネル本体１８の機能表示の近傍は、発光ダイオード３７により照明される構成とされている。即ち、発光ダイオード３７が発した光は、フロントパネル１２を透過して操作者に視認される構成とされている。しかしながら、本実施例の電子装置１０であるルータは、一般に操作者が主に操作するパーソナルコンピュータの設置位置から離間して設置されるものである。このため、操作者と電子装置１０とも離間し、従来構成の表示では表示を視認できない場合が発生する。
【００４４】
そこで、本実施例では図６及び図７に示すように、フロントパネル１２（光透過パネル）の形状を発光ダイオード３７の光の進行方向に突出した形状とすると共に、フロントパネル１２の背面に発光ダイオード３７からの光を拡散させるシボ加工部４０を形成した。更に、シボ加工部４０が施されたフロントパネル１２の背面の中央位置に、長手方向に沿ってローレット加工部４１を形成した。以下、この各構成の詳細について説明する。
【００４５】
図６は、図１（Ｂ）におけるＡ−Ａ線に沿う断面を示している。同図に示すように、ケース半体１３，１４よりなるケース本体１１の内部には基板３６が配設されている。発光ダイオード３７は、この基板３６の所定位置に配設されており、電子装置１０の動作状態により発光，消灯を行なう構成とされている。尚、図では１個の発光ダイオード３７のみ示すが、この発光ダイオード３７は表示箇所数に対応して複数個設けられている。
【００４６】
また、発光ダイオード３７と対向するフロントパネル１２は、曲率Ｒ１を有した左面３４と、曲率Ｒ２を有した右面３５とにより構成されている。この左面３４と右面３５が接合されることにより、フロントパネル１２は全体として発光ダイオード３７の光の進行方向に突出した形状となっている。
【００４７】
具体的には、従来のように平面なフロントパネルを想定した場合、これよりも図６中矢印ΔＨで示す寸法だけ、フロントパネル１２は突出した構成とされている。このように、フロントパネル１２の形状を発光ダイオード３７の光の進行方向に突出した形状とすることにより、従来のようにフロントパネルを平面とした構成に比べ、フロントパネル１２を広い範囲から視認することができる。
【００４８】
即ち、フロントパネル１２を側方から見た場合、フロントパネルが平面であると例えば電子装置１０の真横からフロントパネル１２を見ても表示を視認することはできないが、フロントパネル１２が突出していれば、電子装置１０の真横からでも表示を視認することが可能となる。
【００４９】
更に、フロントパネル１２は、曲率Ｒ１を有した左面３４と曲率Ｒ２を有した右面３５とを接合した構成としている。また、左面３４の曲率中心と右面３５の曲率中心は偏心した構成とされている。
【００５０】
これにより、左面３４の曲率中心と右面３５の曲率中心を一致させた構成に比べ、電子装置１０の小型化を図っても，前記した突出寸法ΔＨを（即ち、フロントパネル１２の突出量）を比較的大きくすることができ、よってこれによってもフロントパネル１２の表示を視認できる範囲を広い範囲とすることができる。また、例えば二つの平面を接合したような断面三角形状とした構成に比べても、フロントパネル１２の表示を視認できる範囲を広い範囲とすることができる。
【００５１】
また、フロントパネル１２の背面には、発光ダイオード３７からの光を拡散させるシボ加工部４０（光拡散部）が形成されている。本実施例では、ローレット加工部４１の形成位置を除き、フロントパネル１２の背面全面にシボ加工部４０を形成している。このシボ加工は微細な凹凸を形成する加工であり、この加工は容易である。このため、シボ加工部４０は簡単かつ安価に形成することができる。
【００５２】
このような微細な凹凸であるシボ加工部４０をフロントパネル１２の背面に形成することにより、発光ダイオード３７で発せられた光は、このシボ加工部４０を通過する際に拡散される。
【００５３】
このように、発光ダイオード３７で発光した光がシボ加工部４０で拡散されることにより、操作者がフロントパネル１２を見た場合、発光ダイオード３７の配設位置を中心として所定範囲が光るように見える。即ち、シボ加工部４０を施さないフロントパネルに比べ、発光範囲を広くすることができる。よって、これによってもフロントパネル１２を視認できる範囲を拡大することができる。
【００５４】
しかしながら、シボ加工部４０が形成された部位では、光が拡散されるため発光の輝度は低下することとなる。操作者によっては、フロントパネル１２の表示にシャープな表示を望む場合がある。
【００５５】
このため本実施例では、フロントパネル１２の背面の全面をシボ加工部４０とするのではなく、その一部にシボ加工部４０を有しない非拡散部を設けた構成とした。具体的には、フロントパネル１２に非拡散部としてローレット加工部４１を設けた構成とした。
【００５６】
この構成とすることにより、ローレット加工部４１が形成された位置においては、発光ダイオード３７の光が拡散されずに透過される。よって、シボ加工部４０における光の輝度に比べ、ローレット加工部４１における光の輝度は強くなり、よってローレット加工部４１の形成位置においては強い視認性を有した（シャープな）表示を行なうことができる。
【００５７】
更に本実施例では、発光ダイオード３７の発光色と、フロントパネル１２の色を同一色或いは同系色としている。これにより、フロントパネル１２は、発光ダイオード３７が発した光のみを通過させるフィルタとして機能する。よって、他色の光が表示に影響を及ぼすことを防止でき、これによってもフロントパネル１２の表示の視認性を向上させることができる。
【産業上の利用可能性】
【００５８】
本発明はカバーパネルの取り付け構造に係り、特に電子装置のケース本体にカバーパネルを取り付けるのに用いて好適なカバーパネルの取り付け構造に関するので、産業上の利用可能性がある。
【図面の簡単な説明】
【００５９】
【図１】本発明の一実施例を適用した電子装置の外観を示す図である。
【図２】フロントパネルを拡大して示す図である。
【図３】係合突起と係合孔との係合位置を拡大して示す図である（その１）。
【図４】係合突起と係合孔との係合位置を拡大して示す図である（その２）。
【図５】固定爪と固定フックとの嵌合位置を拡大して示す図である。
【図６】フロントパネルと発光ダイオードとの配設位置関係を示す図である。
【図７】フロントパネルの背面を示す図である。
【符号の説明】
【００６０】
１０  電子装置
１１  ケース本体
１２  フロントパネル
１３，１４  ケース半体
１５，１６  鍔部
１７-1，１７-2  底面
１８  パネル本体
２１  上部アーム部
２２  係合突起
２３，２４  固定爪
２５  下部アーム部
２６，２７  固定突起
３０，３１  係合孔
３２，３３  延出部
３４  左面
３５  右面
３６  基板
３７  発光ダイオード
３８  係合凹部
４０  シボ加工部
４１  ローレット加工部
４２，４３  固定フック
【図１】
0004588052.tif 000002
【図２】
0004588052.tif 000003
【図３】
0004588052.tif 000004
【図４】
0004588052.tif 000005
【図５】
0004588052.tif 000006
【図６】
0004588052.tif 000007
【図７】
0004588052.tif 000008